(57)【要約】【課題】記録用の電磁波の照射を受けて電荷を発生し、その電荷を蓄積することによって放射線画像の記録を行う放射線画像検出器において、残留電荷の消去を効率的に行う。【解決手段】記録用の電磁波の照射により電荷を発生して放射線画像を記録し、読取光の照射により電荷を発生して放射線画像が読み出されるとともに、消去光の照射により電荷を発生して読出し後の残留電荷が消去される放射線画像検出器であって、記録用の電磁波の照射により電荷を発生し、その発生した電荷を蓄積する電荷蓄積層２,３と、読取光および消去光の照射により電荷を発生する光導電層４と、読取光を透過する第１の線状電極７と読取光を遮光するとともに、消去光を透過する第２の線状電極８とが交互に多数配列された電極層とをこの順に積層してなる放射線画像検出器において、第２の線状電極８（８ａ,８ｂ）を、隣接する第１の線状電極７間に複数本ずつ設ける。【選択図】図１
2007142132.tif 000002
【特許請求の範囲】
【請求項１】
放射線画像を担持した記録用の電磁波の照射により電荷を発生して蓄積することによって前記放射線画像を記録し、読取光の照射により電荷を発生することによって前記記録された放射線画像が読み出されるとともに、消去光の照射により電荷を発することによって前記読出し後の残留電荷が消去される放射線画像検出器であって、前記記録用の電磁波の照射により電荷を発生し、該発生した電荷を蓄積する電荷蓄積層と、前記読取光および前記消去光の照射により電荷を発生する光導電層と、前記読取光を透過する第１の線状電極と前記読取光を遮光するとともに、前記消去光を透過する第２の線状電極とが交互に多数配列された電極層とをこの順に積層してなる放射線画像検出器において、
前記第２の線状電極が、隣接する前記第１の線状電極間に複数本ずつ設けられていることを特徴とする放射線画像検出器。
【請求項２】
前記隣接する第１の線状電極間に設けられている複数の第２の線状電極が、読み出される放射線画像を構成する１画素の幅の範囲内に設けられていることを特徴とする請求項１記載の放射線画像検出器。
【請求項３】
前記隣接する第１の線状電極間に設けられている複数の第２の線状電極が、１つの電流検出アンプに接続されていることを特徴とする請求項１または２記載の放射線画像検出器。
【請求項４】
放射線画像を担持した記録用の電磁波の照射により電荷を発生することによって前記放射線画像が記録され、読取光の照射により電荷を発生することによって前記記録された放射線画像が読み出されるとともに、消去光の照射により電荷を発することによって前記読出し後の残留電荷が消去される放射線画像検出器であって、前記記録用の電磁波の照射により電荷を発生し、該発生した電荷を蓄積する電荷蓄積層と、前記読取光および前記消去光の照射により電荷を発生する光導電層と、前記読取光を透過する第１の線状電極と前記読取光を遮光するとともに、前記消去光を透過する第２の線状電極とが交互に多数配列された電極層とをこの順に積層してなる放射線画像検出器において、
前記第２の線状電極が、導電性を有する突起部を備えたものあることを特徴とする放射線画像検出器
【請求項５】
前記突起部が、前記第２の線状電極の前記光導電層側の面に前記第２の線状電極に沿って設けられた、前記第２の線状電極よりも幅の狭い第３の線状電極であることを特徴とする請求項４記載の放射線画像検出器。
【請求項６】
前記第２の線状電極が、透明線状電極と該透明線状電極に沿って設けられた、前記読取光を遮光する線状遮光部材とを有するものであることを特徴とする請求項１から５いずれか１項記載の放射線画像検出器。
【発明の詳細な説明】
【技術分野】
【０００１】
本発明は、放射線画像を担持した放射線の照射を受けて放射線画像を記録し、その放射線画像に応じた放射線画像信号が読み出される放射線画像検出器に関するものである。
【背景技術】
【０００２】
従来、医療分野などにおいて、被写体を透過した放射線の照射を受けて電荷を発生し、その電荷を蓄積することにより被写体に関する放射線画像を記録する放射線画像検出器が各種提案、実用化されている。
【０００３】
そして、上記のような放射線画像検出器としては、たとえば、特許文献１には、放射線を透過する第１の電極層、放射線の照射を受けることにより電荷を発生する記録用光導電層、一方の極性の電荷に対しては絶縁体として作用し、かつ他方の極性の電荷に対しては導電体として作用する電荷輸送層、読取光の照射を受けることにより電荷を発生する読取用光導電層、および読取光を透過する線状に延びる透明線状電極と読取光を遮光する線状に延びる遮光線状電極とが平行に交互に配列された第２の電極層をこの順に積層してなる放射線画像検出器が提案されている。
【０００４】
上記のように構成された放射線画像検出器５０により放射線画像の記録を行う際には、図１３（Ａ）に示すように、第１の電極層５１に負の高電圧が印加された状態で、被写体を透過した放射線が第１の電極層５１側から照射される。上記のようにして照射された放射線は、第１の電極層５１を透過し、記録用光導電層５２に照射され、記録用光導電層５２の放射線の照射された部分において電荷が発生し、この電荷のうち正の電荷は負に帯電した第１の電極層５１に向かって移動し、第１の電極層５１における負の電荷と結合して消滅する。一方、上記ようにして発生した電荷のうち負の電荷は正に帯電した第２の電極層５５に向かって移動するが、上記のように電荷輸送層５３は負の電荷に対しては絶縁体として作用するため、上記負の電荷は記録用光導電層５２と電荷輸送層５３との界面である蓄電部５６に蓄積され、この蓄電部５６への負電荷の蓄積により放射線画像の記録が行われる（図１３（Ｂ）参照）。
【０００５】
そして、上記のようにして記録された放射線画像を放射線画像検出器５０から読み取る際には、図１４に示すように、読取光Ｌ１が第２の電極層５５側から照射される。照射された読取光Ｌ１は、第２の電極層５５における透明線状電極５５ａを透過し、読取用光導電層５４に照射され、読取用光導電層５４において電荷が発生する。そして、読取光Ｌ１の照射により読取用光導電層５４において発生した正の電荷が蓄電部５６における潜像電荷と結合するとともに、負の電荷が、遮光線状電極５５ｂに接続されたチャージアンプ３５を介して遮光状電極５５ｂに帯電した正の電荷と結合する。
【０００６】
そして、読取用光導電層５４において発生した負の電荷と遮光線状電極５５ｂに帯電した正の電荷との結合によって、チャージアンプ３５に電流が流れ、この電流が積分されて放射線画像に応じた放射線画像信号の読取りが行われる。
【０００７】
【特許文献１】特開２０００−２８４０５６号公報
【発明の開示】
【発明が解決しようとする課題】
【０００８】
しかしながら、上記のようにして読取光の照射を行って放射線画像の読取りを行った後においても、蓄電部５６には完全に読み取れなかった残留電荷が残る。そして、この残留電荷は、次の放射線画像の記録および読取りにおいてノイズとなってしまう。
【０００９】
そこで、第２の電極層側から消去光を照射し、この消去光の照射によって読取用光導電層において電荷を発生させ、この発生した正の電荷と蓄電部５６に残留した残留電荷とを結合させることによって残留電荷を消去する方法が提案されている。
【００１０】
ここで、上記のような消去処理を効率よく行うためには、消去光を十分に読取用光導電層に照射させる必要があり、そのためには、消去光が遮光線状電極５５ｂを透過するようすることが望ましい。
【００１１】
そして、消去光が遮光線状電極５５ｂを透過するようにするためには、消去光の波長領域として読取光の波長領域と異なる波長領域を用いる必要があるが、良好な画質の放射線画像を取得するためには読取効率を優先させる必要があり、そのためには、読取光として量子効率の高い波長領域を用い、消去光として量子効率の低い波長領域を用いざるを得ない。したがって、消去処理において低い消去効率しか得ることができなかった。
【００１２】
本発明は、上記事情に鑑み、上記のような放射線画像検出器において、上記消去処理の消去効率を向上させることができる放射線画像検出器を提供することを目的とするものである。
【課題を解決するための手段】
【００１３】
本発明の第１の放射線画像検出器は、放射線画像を担持した記録用の電磁波の照射により電荷を発生して蓄積することによって放射線画像を記録し、読取光の照射により電荷を発生することによって記録された放射線画像が読み出されるとともに、消去光の照射により電荷を発することによって読出し後の残留電荷が消去される放射線画像検出器であって、記録用の電磁波の照射により電荷を発生し、その発生した電荷を蓄積する電荷蓄積層と、読取光および消去光の照射により電荷を発生する光導電層と、読取光を透過する第１の線状電極と読取光を遮光するとともに、消去光を透過する第２の線状電極とが交互に多数配列された電極層とをこの順に積層してなる放射線画像検出器において、第２の線状電極が、隣接する第１の線状電極間に複数本ずつ設けられていることを特徴とする。
【００１４】
また、上記本発明の第１の放射線画像検出器においては、上記隣接する第１の線状電極間に設けられている複数の第２の線状電極を、読み出される放射線画像を構成する１画素の幅の範囲内に設けるようにすることができる。
【００１５】
また、上記隣接する第１の線状電極間に設けられている複数の第２の線状電極を、１つの電流検出アンプに接続するようにすることができる。
【００１６】
本発明の第２の放射線画像検出器は、放射線画像を担持した記録用の電磁波の照射により電荷を発生することによって放射線画像が記録され、読取光の照射により電荷を発生することによって記録された放射線画像が読み出されるとともに、消去光の照射により電荷を発することによって読出し後の残留電荷が消去される放射線画像検出器であって、記録用の電磁波の照射により電荷を発生し、その発生した電荷を蓄積する電荷蓄積層と、読取光および消去光の照射により電荷を発生する光導電層と、読取光を透過する第１の線状電極と読取光を遮光するとともに、消去光を透過する第２の線状電極とが交互に多数配列された電極層とをこの順に積層してなる放射線画像検出器において、第２の線状電極が、導電性を有する突起部を備えたものであることを特徴とする。
【００１７】
ここで、上記「突起部」は、導電性を有し、第２の線状電極の面上において突起となるようなものであれば如何なるものでもよい。
【００１８】
たとえば、突起部を、第２の線状電極の光導電層側の面に第２の線状電極に沿って設けられた、第２の線状電極よりも幅の狭い第３の線状電極とすることができる。
【００１９】
また、上記のような第３の線状電極に限らず、点状の電極を第２の線状電極の光導電層側の面に第２の線状電極に沿って複数設けるようにしてもよい。
【００２０】
また、上記本発明の第１および第２の放射線画像検出器においては、第２の線状電極を、透明線状電極とその透明線状電極に沿って設けられた、読取光を遮光する線状遮光部材とを有するものとすることができる。
【発明の効果】
【００２１】
本発明の第１の放射線画像検出器によれば、第２の線状電極を、隣接する第１の線状電極間に複数本ずつ設けるようにしたので、第２の線状電極近傍に形成される電界強度を大きくすることができ、その分、消去光を照射したときの量子効率を向上させることができ、消去処理の消去効率を向上させることができる。
【００２２】
また、たとえば、従来の第２の線状電極よりも細くした場合には、第２の線状電極における電荷密度を向上させることができるとともに、電極エッジ効果により、従来よりも第２の線状電極近傍に形成される電界強度を大きくすることができる。
【００２３】
本発明の第２の放射線画像検出器によれば、第２の線状電極を、導電性を有する突起部を備えるようにしたので、突起部において電荷密度を向上させることができるとともに、電極エッジ効果により、従来よりも第２の線状電極近傍に形成される電界強度を大きくすることができる。そして、その分、消去光を照射したときの量子効率を向上させることができ、消去処理の消去効率を向上させることができる。
【発明を実施するための最良の形態】
【００２４】
以下、図面を参照して本発明の放射線画像検出器の第１の実施形態について説明する。図１は第１の実施形態の放射線画像検出器の斜視図、図２（Ａ）は図１に示す放射線画像検出器の２−２線断面図である。
【００２５】
第１の実施形態の放射線画像検出器１０は、図１および図２（Ａ）に示すように、放射線画像を担持した放射線を透過する第１の電極層１、第１の電極層１を透過した放射線の照射を受けることにより電荷を発生する記録用光導電層２、記録用光導電層２において発生した電荷のうち一方の極性の電荷に対しては絶縁体として作用し、且つ他方の極性の電荷に対しては導電体として作用する電荷輸送層３、読取光の照射を受けることにより電荷を発生する読取用光導電層４、および第２の電極層５をこの順に積層してなるものである。記録用光導電層２と電荷輸送層３との界面近傍には、記録用光導電層２内で発生した電荷を蓄積する蓄電部６が形成される。なお、上記各層は、ガラス基板上に第２の電極層５から順に形成されるものであるが、図１および図２（Ａ）においては、ガラス基板を省略している。
【００２６】
第１の電極層１としては、放射線を透過するものであればよく、たとえば、ネサ皮膜（ＳｎＯ2）、ＩＴＯ（Indium Tin Oxide）、アモルファス状光透過性酸化膜であるＩＤＩＸＯ（Idemitsu Indium X-metal Oxide ；出光興産（株））などを５０〜２００ｎｍ厚にして用いることができ、また、１００ｎｍ厚のＡｌやＡｕなども用いることもできる。
【００２７】
第２の電極層５は、読取光を透過する複数の第１の透明線状電極７と読取光を遮光する複数の遮光線状電極８とを有するものである。そして、第１の透明線状電極７と遮光線状電極８とは、図１に示すように、所定の間隔を空けて交互に平行に配列されている。
【００２８】
第１の透明線状電極７は読取光を透過するとともに、導電性を有する材料から形成されている。上記のような材料であれば如何なるものでもよいが、たとえば、第１の電極層１と同様に、ＩＴＯやＩＤＩＸＯを用いることができる。また、Ａｌ、Ｃｒなどの金属を用いて読取光を透過する程度の厚さ（たとえば、１０ｎｍ程度）で形成するようにしてもよい。
【００２９】
遮光線状電極８は、第２の透明線状電極８ａと、その透明線状電極８ａに沿って設けられた、読取光を遮光する線状遮光部材８ｂとを備えており、第２の透明線状電極８ａは、遮光線状部材８ｂの読取用光導電層４側の面上に設けられている。なお、本実施形態における１本の第２の透明線状電極８ａと線状遮光部材８ｂの一部との組み合わせ遮光線状電極８であり、この遮光線状電極８が請求項における第２の線状電極に該当する。したがって、本実施形態では、隣接する第１の透明線状電極７の間に、遮光線状電極８（第２の線状電極）が２本設けられていることになる。
【００３０】
第２の透明線状電極８ａは、後述する消去光を透過するとともに、導電性を有する材料から形成されている。たとえば、第１の電極層１と同様に、ＩＴＯやＩＤＩＸＯを用いることができる。また、Ａｌ、Ｃｒなどの金属を用いて消去光を透過する程度の厚さ（たとえば、１０ｎｍ程度）で形成するようにしてもよい。
【００３１】
線状遮光部材８ｂは、読取光を遮光するものであるが、消去光は透過する部材で形成されている。上記のような材料であれば如何なるものでもよいが、たとえば、読取光として青色光を使用し、その波長が４００ｎｍ〜４８０ｎｍであり、消去光として赤色光を使用し、その波長が５８０ｎｍ〜７００ｎｍである場合には、青色と補色の関係となる赤色の材料を利用することができる。そのような材料としては、たとえば、ジアミノアニトラキノニルレッドをアクリル樹脂に分散させたものなどがある。
【００３２】
また、読取光として赤色光を使用し、その波長が５８０ｎｍ〜７００ｎｍであり、消去光として青色光を使用し、その波長が４００ｎｍ〜４８０ｎｍである場合には、青色と補色の関係となる赤色の材料を利用することができる。そのような材料としては、銅フタロシアニンをアクリル樹脂に分散させたものなどがある。つまり、線状遮光部材８ｂの材料としては、上記のようなものに限らず、読取光の波長に対して補色の関係となる色であるとともに、消去光と同じ色の材料を利用することができる。
【００３３】
また、本実施形態の放射線画像検出器の第１の透明線状電極７および遮光線状電極８は、１組で再生画像の１画素にそれぞれ対応している。なお、再生画像とは、放射線画像検出器から読み出された画像信号に基づいて再生される画像である。したがって、図２に示すように、１画素の幅の範囲に第２の透明線状電極８ａが２本配置されることになる。
【００３４】
また、第２の透明線状電極８ａは、たとえば、上記１画素の幅が５０μｍである場合、図３（Ａ）〜（Ｃ）に示す幅で形成するようにすることができる。
【００３５】
なお、本実施形態においては、第２の透明線状電極８ａを２本設けるようにしたが、その本数は２本に限らず、もっと多数にしてもよい。
【００３６】
記録用光導電層２は、放射線の照射を受けることにより電荷を発生するものであればよく、放射線に対して比較的量子効率が高く、また暗抵抗が高いなどの点で優れているａ−Ｓｅを主成分とするものを使用する。厚さは５００μｍ程度が適切である。
【００３７】
電荷輸送層３としては、たとえば、放射線画像の記録の際に第１の電極層１に帯電する電荷の移動度と、その逆極性となる電荷の移動度の差が大きい程良く（例えば１０２以上、望ましくは１０３以上）ポリＮ−ビニルカルバゾール（ＰＶＫ）、N,N'−ジフェニル−N,N'−ビス（３−メチルフェニル）−〔1,1'−ビフェニル〕−4,4'−ジアミン（ＴＰＤ）やディスコティック液晶等の有機系化合物、或いはＴＰＤのポリマー（ポリカーボネート、ポリスチレン、ＰＶＫ）分散物，Ｃｌを１０〜２００ｐｐｍドープしたａ−Ｓｅ、Ａｓ２Ｓｅ３等の半導体物質が適当である。
【００３８】
読取用光導電層４としては、読取光および消去光の照射を受けることにより導電性を呈するものであればよく、例えば、ａ−Ｓｅ、Ｓｅ−Ｔｅ、Ｓｅ−Ａｓ−Ｔｅ、無金属フタロシアニン、金属フタロシアニン、ＭｇＰｃ（Magnesium phtalocyanine），ＶｏＰｃ（phaseII of Vanadyl phthalocyanine）、ＣｕＰｃ（Cupper phtalocyanine）などのうち少なくとも１つを主成分とする光導電性物質が好適である。厚さは０．１〜１μｍ程度が適切である。
【００３９】
次に、第１の実施形態の放射線画像検出器の作用について説明する。
【００４０】
まず、図４（Ａ）に示すように、高電圧源２０によって放射線画像検出器１０の第１の電極層１に負の電圧を印加した状態において、放射線源から被写体に向けて放射線が照射され、その被写体を透過して被写体の放射線画像を担持した放射線が放射線画像検出器１０の第１の電極層１側から照射される。
【００４１】
そして、放射線画像検出器１０に照射された放射線は、第１の電極層１を透過し、記録用光導電層２に照射される。そして、その放射線の照射によって記録用光導電層２において電荷対が発生し、そのうち正の電荷は第１の電極層１に帯電した負の電荷と結合して消滅し、負の電荷は潜像電荷として記録用光導電層２と電荷輸送層３との界面に形成される蓄電部６に蓄積されて放射線画像が記録される（図４（Ｂ）参照）。
【００４２】
そして、次に、図５に示すように、第１の電極層１が接地された状態において、第２の電極層５側から読取光Ｌ１が照射され、読取光Ｌ１は第１の透明線状電極７を透過して読取用光導電層４に照射される。読取光Ｌ１の照射により読取用光導電層４において発生した正の電荷が蓄電部６における潜像電荷と結合するとともに、負の電荷が、第２の透明線状電極８ａに接続されたチャージアンプ３０を介して第２の透明線状電極８ａに帯電した正の電荷と結合する。
【００４３】
そして、読取用光導電層４において発生した負の電荷と第２の透明線状電極８ａに帯電した正の電荷との結合によって、チャージアンプ３０に電流が流れ、この電流が積分されて画像信号として検出され、放射線画像に応じた画像信号の読取りが行われる。
【００４４】
ここで、上記のようにして放射線画像の読取りを行った後においても、読取用光導電層４に一部の正の電荷がトラップされてしまうため蓄電部６に完全に読み取れなかった残留電荷が残る。
【００４５】
そこで、上記のように放射線画像の読取りが終わった後、放射線画像検出器１０の蓄電部６に残留した残留電荷を消去するため、図６に示すように、消去光Ｌ２が放射線画像検出器１０の第２の電極層５側から照射される。消去光Ｌ２は、第２の電極層５の第１の透明線状電極７および第２の透明線状電極８ａおよび線状遮光部材８ｂを透過して読取用光導電層４に照射される。そして、この消去光の照射により読取用光導電層４において電荷対が発生し、そのうち正の電荷は電荷輸送層３を通過して蓄電部６に残留した残留電荷と結合して消滅し、負の電荷は遮光線状電極８に帯電した正の電荷と結合して消滅する。
【００４６】
ここで、消去光Ｌ２の照射による読取用光導電層４における電荷の発生効率は、第１の電極層１と第２の透明線状電極８ａとの間に形成される電界の強度に起因する。本実施形態の放射線画像検出器１０においては、上記のように第２の透明線状電極８ａを２本設けるようにしたので、上記電界をより強くすることができ、読取用光導電層４においてより効率的に電荷を発生させることができる。したがって、より効率的に残留電荷を消去することが可能である。
【００４７】
なお、第２の透明線状電極８ａ２本分の幅と同じ幅を有する透明線状電極を用いた場合と比較すると、本実施形態の放射線画像検出器１０のように２本に分割するようにした方が、各第２の透明線状電極８ａ上の電荷密度を向上させることができるとともに、各第２の透明線状電極８ａのエッジ部分において電界集中させることができる。したがって、結果的には、本実施形態の放射線画像検出器１０のように２本に分割するようにした方が、より効率的に残像電荷を消去することができる。
【００４８】
次に、本発明の放射線画像検出器の第２の実施形態について説明する。
【００４９】
図７に、第２の実施形態の放射線画像検出器の断面図を示す。第２の実施形態の放射線画像検出器２０は、図７に示すように、１の実施形態の放射線画像検出器１０と遮光線状電極８の構成が異なる。そして、遮光線状電極８以外の構成については、上記第１の実施形態の放射線画像検出器１０と同様である。
【００５０】
放射線画像検出器２０の遮光線状電極８は、１本の第２の透明線状電極８ａと線状遮光部材８ｂと第２の透明線状電極８ａに沿って設けられた、消去光を透過する第３の透明線状電極８ｃとを備えている。そして、第３の透明線状電極８ｃは、第２の透明線状電極８ａの読取用光導電層４側の面上に設けられており、突起部を形成している。
【００５１】
突起部としての第３の透明線状電極８ｃは、消去光を透過するとともに、導電性を有する材料から形成されている。たとえば、第２の透明線状電極８ａと同様に、ＩＴＯやＩＤＩＸＯを用いることができる。
【００５２】
なお、本実施形態においては、上記のように突起部として第３の透明線状電極８ｃを設けるようにしたが、突起部は必ずしも線状電極である必要はなく、第２の透明線状電極８ａに対して突起部となるような形状であればよい。たとえば、点状の電極を第２の透明線状電極８ａに沿って多数設けるようにしてもよい。
【００５３】
また、上記のように第３の透明線状電極８ｃを設けるのではなく、第２の透明線状電極８ａ自体の形状に凸形状を持たせるようにしてもよい。具体的には、たとえば、図８（Ａ）〜（Ｃ）および図９（Ａ）〜（Ｃ）に示すように、第２の透明線状電極８ａを背骨型の形状とすることによって突起部を設けるようにしてもよい。なお、１画素の幅は５０μｍである。また、図１０（Ａ）〜（Ｃ）に示すように、第２の透明線状電極８ａを虫食い型の形状とすることによって突起部を設けるようにしてもよい。また、図１１（Ａ）〜（Ｃ）および図１２（Ａ）〜（Ｃ）に示すように、第２の透明線状電極８ａをジグザグ型の形状とすることによって突起部を設けるようにしてもよい。
【００５４】
第２の実施形態の放射線画像検出器２０においては、上記のように第２の透明線状電極８ａ上に第３の透明線状電極８ｃを設けるようにしたので、第２の透明線状電極８ａのみの場合と比較すると、第３の透明線状電極８ｃ上において電荷密度を向上させることができるとともに、第３の透明線状電極８ｃのエッジ部分において電界集中させることができる。したがって、読取用光導電層４においてより効率的に電荷を発生させることができ、より効率的に残像電荷を消去することができる。
【００５５】
なお、第１の実施形態と第２の実施形態の遮光線状電極８を組み合わせたような構成としてもよい。つまり、第１の実施形態の放射線画像検出器１０における２本の第２の透明線状電極８ａ上に、それぞれ第３の透明線状電極８ｃを設けるようにしてもよい。
【００５６】
また、上記実施形態は、放射線の照射を受けてその放射線を直接電荷に変換することにより放射線画像の記録を行う、いわゆる直接変換方式の放射斜線画像検出器に本発明を適用したものであるが、これに限らず、たとえば、放射線を一旦可視光に変換し、その可視光を電荷に変換することにより放射線画像の記録を行う、いわゆる間接変換方式の放射線画像検出器に本発明を適用するようにしてもよい。
【００５７】
また、本発明の放射線画像検出器における放射線画像検出器の層構成は上記実施形態のような層構成に限らずその他の層を加えたりしてもよい。
【図面の簡単な説明】
【００５８】
【図１】本発明の放射線画像検出器の第１の実施形態の概略構成図
【図２】図１に示す放射線画像検出器の２−２線断面図
【図３】第２の透明線状電極の形状の一例を示す図
【図４】放射線画像検出器への放射線画像の記録の作用を説明するための図
【図５】放射線画像検出器からの放射線画像の読取りの作用を説明するための図
【図６】放射線画像検出器における残留電荷の消去の作用を説明するための図
【図７】本発明の放射線画像検出器の第２の実施形態の断面図
【図８】第２の透明線状電極の形状の一例を示す図
【図９】第２の透明線状電極の形状の一例を示す図
【図１０】第２の透明線状電極の形状の一例を示す図
【図１１】第２の透明線状電極の形状の一例を示す図
【図１２】第２の透明線状電極の形状の一例を示す図
【図１３】従来の放射線画像検出器への放射線画像の記録の作用を説明するための図
【図１４】従来の放射線画像検出器からの放射線画像の読取りの作用を説明するための図
【符号の説明】
【００５９】
１    第１の電極層
２    記録用光導電層
３    電荷輸送層
４    読取用光導電層（光導電層）
５    第２の電極層
７    第１の透明線状電極（第１の線状電極）
８    遮光線状電極（第２の線状電極）
８ａ  第２の透明線状電極
８ｂ  線状遮光部材
８ｃ  第３の透明線状電極（突起部）
６    蓄電部
１０    放射線画像検出器
３０    チャージアンプ（電流検出アンプ）
【図１】
2007142132.tif 000003
【図２】
2007142132.tif 000004
【図３】
2007142132.tif 000005
【図４】
2007142132.tif 000006
【図５】
2007142132.tif 000007
【図６】
2007142132.tif 000008
【図７】
2007142132.tif 000009
【図８】
2007142132.tif 000010
【図９】
2007142132.tif 000011
【図１０】
2007142132.tif 000012
【図１１】
2007142132.tif 000013
【図１２】
2007142132.tif 000014
【図１３】
2007142132.tif 000015
【図１４】
2007142132.tif 000016